(57)【特許請求の範囲】
【請求項１】
車両に搭載される装置本体と、前記装置本体から出力される各種情報を表示する表示部を有する表示パネルとを備えた表示パネル装置であって、
前記装置本体の前面を覆う被覆位置と前記前面の少なくとも一部を開放する開放位置とに亘って前記表示パネルを移動可能に前記装置本体に対して支持する移動機構を備え、
前記移動機構は、前記表示パネルの左右端のいずれか一方を前記前面の前方に移動させる移動部材と、
前記移動部材による前記表示パネルの左右端の一方の移動に伴い前記左右端の他方を前記前面に沿って移動可能に支持する支持部材と、
前記表示パネルの左右端のいずれか一方を選択的に切換えて前記前面の前方に移動させる切換え手段と、を有することを特徴とする表示パネル装置。
【請求項２】
前記移動機構は、前記被覆位置にある表示パネルを複数の異なる前記開放位置に位置づけるとともに、前記表示パネルの表示部の向きが互いに異なるように前記表示パネルを移動させることを特徴とする請求項１に記載の表示パネル装置。
【請求項３】
前記装置本体は、前記車両の運転席側と助手席側との間の位置となるダッシュボードに設けられることを特徴とする請求項１または２に記載の表示パネル装置。
【発明の詳細な説明】
【０００１】
【産業上の利用分野】
本発明は、カーステレオ等の表示パネルに係り、特に表示パネルを開閉する表示パネル装置に関するものである。
【０００２】
【従来の技術】
従来、音響装置等の表示パネル装置には、通常、種々の操作ボタンや液晶等の表示装置が配置されて、特に多機能のカーステレオ等の場合は、規定形状の表示パネル内に、チューナの選局ボタンや表示装置を設けると共に、例えばＭＤ（ミニディスク）やＣＤ等の記録媒体を挿入する挿入口を設ける必要があり、機能の向上と共に、表示パネルの有効利用や操作性の向上が求められている。そこで、ＭＤやＣＤ等の記録媒体は、表示パネルを開放し、カーステレオ本体の奥に設けた挿入口に挿入する構造が考えられる。
【０００３】
例えば、図１３は従来の表示パネル装置を備えるカーステレオ１の断面図であり、図１３（ａ）はカーステレオ１の表示パネル２が閉じられた状態を示している。カーステレオ１の表示パネル２は、モータ３と、小歯車と伝達歯車で構成される減速歯車４と、ギア５と、ラック６等で構成される表示パネル装置により表示パネル２が開閉される。
表示パネル２は、表示パネル２に設けられた図示せぬ開閉ボタンが押下されると、カーステレオ１の内部に設けられた図示せぬＣＰＵの制御信号によりモータ３が回転する。モータ３の回転は、減速歯車４により減速され、ギア５及びラック６に伝達される。モータ３の回転運動は、ギア５とラック６が噛み合うことでラック６の直線運動に変換される。
【０００４】
表示パネル２の底部は、保持ピン７によりラック６の一方端に回転自在に保持され、表示パネル２の天部は、スライド支持ピン８によりスライド溝９に摺動自在に支持されているので、ギア５によってラック６が駆動されると、図１３（ｂ）に示すように、表示パネル２の底部は、ラック６により前面側（図中右側方向）に押出されると共に、表示パネル２の天部は、スライド溝９に沿って垂直下方に摺動し、表示パネル２全体が傾斜した状態で停止する。
【０００５】
このように構成にすれば、表示パネル２が移動によって解放されたカーステレオ１の内部にＭＤやＣＤ等の記録媒体を挿入する挿入口を設けることができると共に、表示パネル２が傾斜した状態で表示パネル２の表地面に設けられた図示しない操作部を操作することができ、表示パネル２の有効利用や操作性の向上が可能となる。
【０００６】
【発明が解決しようとする課題】
しかし、カーステレオ１は、一般にダッシュボード等のほぼ中央の所定位置に固着され、カーステレオ１本体の向きを移動させることができないので、特に視野角が狭い液晶表示装置装置等の表示装置の場合は、助手席に居る人やドライバーが表示パネル２を操作する際に、表示パネル２と対向する位置まで一時的に左側または右側に体を倒し、表示装置の表示内容を視認しながら操作をする必要があり、結果的に操作性や視認性を阻害するものであった。
【０００７】
本発明は、上記の問題点に鑑みてなされたものであり、その目的は、表示パネルを多方向に移動させる移動機構を設け、表示装置の視認性を向上させるようにした表示パネル装置を提供することである。
【０００８】
【発明が解決しようとする手段】
上記問題を解決するため、請求項１記載の表示パネル装置は、車両に搭載される装置本体と、前記装置本体から出力される各種情報を表示する表示部を有する表示パネルとを備えた表示パネル装置であって、前記装置本体の前面を覆う被覆位置と前記前面の少なくとも一部を開放する開放位置とに亘って前記表示パネルを移動可能に前記装置本体に対して支持する移動機構を備え、前記移動機構は、前記表示パネルの左右端のいずれか一方を前記前面の前方に移動させる移動部材と、前記移動部材による前記表示パネルの左右端の一方の移動に伴い前記左右端の他方を前記前面に沿って移動可能に支持する支持部材と、前記表示パネルの左右端のいずれか一方を選択的に切換えて前記前面の前方に移動させる切換え手段と、を有するように構成する。
【０００９】
また、請求項２記載の発明は、請求項１記載の表示パネル装置において、前記移動機構は、前記被覆位置にある表示パネルを複数の異なる前記開放位置に位置づけるとともに、前記表示パネルの表示部の向きが互いに異なるように前記表示パネルを移動させるように構成する。また、請求項３記載の発明は、請求項１または２に記載の表示パネル装置において、前記装置本体は、前記車両の運転席側と助手席側との間の位置となるダッシュボードに設けられるように構成する。
【００１０】
【作用】
本発明の表示パネル装置によれば、車両に搭載される装置本体の前面を覆う被覆位置から表示部を有する表示パネルを選択的に左方向あるいは右方向の開放位置に移動することができる。その結果、例えば、表示パネルを運転席側に対向する向きあるいは、助手席側に対向する向きに選択的に移動することができ、搭乗者の着座位置に適した表示パネルの表示部の視認性を向上させることができる。
【００１１】
【発明の実施の形態】
上述した問題点を解決するため、本発明の実施形態による表示パネル装置の構成を以下に説明する。
【００１２】
図１に本発明の実施形態による表示パネル装置を示した。図１（ａ）は、例えばカーステレオ装置に採用される表示パネル装置の平面図であり、図１（ｂ）は、表示パネル装置内部の正面図である。また、図２は、表示パネル装置の表示パネルの正面図である。尚、図２に示す表示パネルは、後述するパネルステイと一体に形成されたものであり、以下に示す各図面に表示パネルを特に記載しない。
図１及び図２を用いて表示パネル装置の構造の概略を説明する。
【００１３】
図１に示す本発明の表示パネル装置は、筐体１０の内部に左右一対の互いに交差するラック３０ａ、３０ｂと、前記ラック３０ａ、３０ｂをその伸張方向に移送させる駆動装置２０ａ、２０ｂと、筐体１０の開口外周縁部に形成されるフレーム４０と、表示パネル装置の前面を覆う表示パネル５０と、表示パネル５０と一体に構成されるスライドスイッチ機構７０を搭載したパネルスティ６０とで構成されている。
【００１４】
表示パネル装置は、左右の駆動装置２０ａ、２０ｂと、互いに交差するラック３０ａ、３０ｂとで構成される移動機構により、スライドスイッチ機構７０を搭載したパネルスティ６０と一体に表示パネル５０を所定の方向及び所定の方向とは反対の方向に移動させ、表示パネル装置の筐体１０の前面を開放し、露出した記録媒体駆動装置１１の挿入口１２に図示せぬ記録媒体を挿入するようにしている。
【００１５】
表示パネル装置の表示パネル５０には、図２に示すように、例えば液晶表示装置５１や、ＣＤ或いはＭＤの操作用、チューナの選曲用等複数の操作ボタン５２や開閉ボタン５３等が配置されている。
また、表示パネル５０の内側には、ロック機能を有するスライドスイッチ機構７０を搭載したパネルスティ６０が装着され、スライドスイッチ機構７０を構成する切り換えノブ７２の先端が表示パネル５０の中央下方端に設けられたスイッチ穴５４から突出し、スイッチ穴５４の左下に「左」、右下に「右」、そして中央に「ロック」と機能表示されている。
【００１６】
本発明の表示パネル装置は、操作者が表示パネル５０に設けられた切り換えノブ７２を右側または左側に摺動し、ロック状態を解除した後、開閉ボタン５３を押下することにより、切り換えノブ７２を切り換えた方向に表示パネル５０を移動させ、表示パネル装置の前面を開放するように構成されている。
以上が、表示パネル装置の構造の概略説明である。
【００１７】
次に、表示パネル装置を構成する駆動装置２０ａ、２０ｂと、ラック３０ａ、３０ｂと、フレーム４０と、パネルスティ６０と、スライドスイッチ機構７０の各々の構造について図３乃至図７を参照しつつ、以下に詳細に説明する。
【００１８】
（Ａ）駆動装置２０ａ、２０ｂ及びラック３０ａ、３０ｂの構造の説明。
図３は、駆動装置２０ａ、２０ｂ及びラック３０ａ、３０ｂの構造図である。
駆動装置２０ａは、ラック３０ａを左右（図中矢印Ａ）方向に移動させるための駆動装置であり、モータ２１と、小歯車２２と、伝達歯車２３と、ギア２４とで構成されている。
一方、ラック３０ａは、その長辺の一方の側面に複数の歯３１が形成された平板部材であり、歯３１が形成された一方端に、Ｕ字溝３２が形成され、所定の深さの底部３３が形成されている。
【００１９】
駆動装置２０ａにおいて、モータ２１の回転速度は、小歯車２２、伝達歯車２３及びギア２４により減速され、ラック３０ａに伝達される。モータ２１の回転運動は、ギア２４とラック３０ａが噛み合うことによりラック３０ａの直線運動に変換される。即ち、ラック３０ａは、駆動装置２０ａのモータ２１が回転することにより図中矢印Ａの方向に移動する。
尚、ラック３０ｂ及び駆動装置２０ｂは、上述したラック３０ａ及び駆動装置２０ａの動作と同一であり説明を省略する。
【００２０】
（Ｂ）フレーム４０の構造の説明。
図４（ａ）はフレーム４０の平面図であり、図４（ｂ）はフレーム４０の一部正面図である。
フレーム４０は、筐体１０の開口外周縁部に形成される樹脂成形された支持枠であり、パネルスティ６０、スライドスイッチ機構７０を含む表示パネル５０の支持に用いられる。
フレーム４０には、後述するパネルスティ６０のローラ６２を案内して回転自在に移動させるため、表示パネル５０面と平行に凹状溝４１が設けられ、凹状溝４１の両側端部は、ローラ６２を凹状溝４１から脱着可能（或は凹状溝４１に挿入可能）にするための開口部４２ａ、４２ｂが設けられている。
【００２１】
また、フレーム４０の両側には、互いに前方に向かうに従い側面方向に湾曲する左右対称のガイド溝４３ａ、４３ｂが凹状溝４１よりも深く形成され、表示パネル５０の前面側は、開放された溝になっている。このガイド溝４３ａ、４３ｂは、後述するスライドスイッチ機構７０の切り換えピン７３ａ、７３ｂが挿入され、表示パネル５０が開放される際に、切り換えピン７３ａ、７３ｂの一方がガイド溝４２に沿ってフレーム４０よりも前面に移動し、パネルスティ６０を含む表示パネル５０全体がフレーム４０から離れて左右に開放される。
尚、表示パネル５０には、表示パネル５０の天部側にも凹状溝４１及び開口部４２ａ、４２ｂを有するフレーム４０と、スライドスイッチ機構７０を構成しないパネルスティ６０が設けられており、天部と底部とで表示パネル５０を支持するように構成している。
【００２２】
（Ｃ）パネルステイ６０とスライドスイッチ機構７０の構造の説明。
図５（ａ）は、パネルステイ６０にスライドスイッチ機構７０を搭載した状態を示す平面図であり、図５（ｂ）はパネルステイ６０及びスライドスイッチ機構７０の正面図である。
パネルステイ６０は、略長方形の平板であり、スライドスイッチ機構７０を構成する２本の切り換えピン７３ａ、７３ｂを通す２つのピン穴６１ａ、６１ｂと、スライドスイッチ機構７０が搭載された面と反対側の面に２つのローラ６２ａ、６２ｂが回転自在に軸着されている。
【００２３】
スライドスイッチ機構７０は、スライド板７１と、スライド板７１に連結された切り換えノブ７２と、切り換えピン７３ａ、７３ｂが嵌入された２つの保持金具７６ａ、７６ｂと、スライド板７１及び保持金具７６ａ、７６ｂを摺動自在に支持する支持部７４ａ、７４ｂとで構成され、支持部７４ａ、７４ｂによってスライドスイッチ機構がパネルステイ６０に固着されている。
スライド板７１の長辺両端部には、スライド穴７５ａ、７５ｂが左右対称に形成されている。このスライド穴７５ａ、７５ｂは、スライド板７１の両外側に向かうに従って高く、内側に向かうに従って低くなるような傾斜した長円穴で形成されている。このスライド板７１は、支持部７４ａ、７４ｂに挟まれる状態で支持されているので、左右（図中矢印Ｂ）方向に摺動自在に支持されている。
【００２４】
一方、切り換えピン７３ａ、７３ｂが嵌入された２つの保持金具７６ａ、７６ｂは、切り換えピン７３ａ、７３ｂの先端をパネルステイ６０のピン穴６１ａ、６１ｂに通し、パネルステイ６０の下側に突出させると共に、支持ピン７７ａ、７７ｂによってスライド板７１のスライド穴７５ａ、７５ｂに移動可能に螺合されている。この保持金具７６ａ、７６ｂは、支持部７４ａ、７４ｂの一方の面に形成された摺動窓により上下（図中矢印Ｃ）方向に摺動自在に支持されている。従って、スライド板７１が左右に移動すると、支持ピン７７ａ、７７ｂがスライド穴７５ａ、７５ｂに沿って上下方向に移動し、切り換えピン７３ａ、７３ｂが上下に移動される。
【００２５】
（Ｄ）スライドスイッチ機構７０の動作の説明。
図６（ａ）は、表示パネル装置を構成するラック３０ａ、３０ｂ、フレーム４０、パネルスティ６０及びスライドスイッチ機構７０の一部平面図であり、図６（ｂ）は、表示パネル装置の一部正面図である。図中、スライドスイッチ機構７０は、切り換えノブ７２が表示パネル５０に設けられたスイッチ穴５４の中央、即ち「ロック」位置に設定された場合を示している。
【００２６】
上記スライドスイッチ機構７０において、切り換えノブ７２がスイッチ穴５４の中央に配置された場合は、スライド板７１の両外側に設けられた斜めのスライド穴７５ａ、７５ｂの略中央に保持金具７６ａ、７６ｂの支持ピン７７ａ、７７ｂが位置するように構成されているので、保持金具７６ａ、７６ｂに嵌入された切り換えピン７３ａ、７３ｂは、パネルスティ６０から共に同じ長さ突出した状態になる。即ち、切り換えピン７３ａ、７３ｂの先端は、各々パネルステイ６０の２つのピン穴６１ａ、６１ｂを通り、ラック３０ａ、３０ｂに形成されているＵ字溝３２ａ、３２ｂに共に挿入された状態となる。
【００２７】
この状態で、例えばパネルステイ６０の右側面を手前（表示パネル面側）に引き出し表示パネル５０を開放しょうとした場合は、パネルステイ６０のローラ６２ａは、フレーム４０の開口部４２ａから引き出される方向に移動しようとするが、左側のラック３０ｂは固定され、左側の切り換えピン７３ｂが、ラック３０ｂのＵ字溝３２ｂに挿入されているため、パネルステイ６０は、開放することができない。また、同様に、パネルステイ６０の左側面を手前に引き出し表示パネル５０を開放しようとしても、上記同様に表示パネル５０を開放することができない。従って、スライドスイッチ機構７０を搭載したパネルスティ６０と一体に構成されている表示パネル５０は、切り換えピン７３ａ、７３ｂがラック３０ａ、３０ｂのＵ字溝３２ａ、３２ｂにより固定されたロック状態となる。
【００２８】
図７は、切り換えノブ７２を左側及び右側に切り換えた場合のスライドスイッチ機構７０の動作説明図である。
図７（ａ）に示すように、切り換えノブ７２を左側に切り換えると、切り換えノブ７２に連結されたスライド板７１が左側（図中矢印Ｄ）方向に移動する。左側の保持金具７６ｂの支持ピン７７ｂは、スライド板７１に形成されたスライド穴７５ｂの傾斜に沿って下（図中矢印Ｅ）方向に移動する。保持金具７６ｂに嵌入された切り換えピン７３ｂの先端は、パネルステイ６０の下方に配置されているフレーム４０のガイド溝４３ｂまで挿入される。
一方、右側の保持金具７６ａの支持ピン７７ａは、右側のスライド穴７５ａの傾斜に沿って上（図中矢印Ｆ）方向に移動し、保持金具７６ａに嵌入された右側の切り換えピン７３ａの先端は、右側のラック３０ａのＵ字溝３２ａから外れ、左側のラック３０ｂによる表示パネル５０の左側に開閉が可能な状態になる。
【００２９】
また、図７（ｂ）に示すように、切り換えノブ７２が右側に切り換えられる
と、切り換えノブ７２と連結されているスライド板７１が右（図中矢印Ｄと逆）方向に移動する。スライド板７１が右側に移動すると、右側の保持金具７６ａの支持ピン７７ａは、スライド板７１に形成されたスライド穴７５ａの傾斜に沿って下（図中矢印Ｆと逆）方向に移動する。保持金具７６ａに嵌入された切り換えピン７３ａの先端は、パネルステイ６０の下方に配置されているフレーム４０のガイド溝４３ａまで挿入される。
一方、左側の保持金具７６ｂの支持ピン７７ｂは、左側のスライド穴７５ｂの傾斜に沿って上（図中矢印Ｅと逆）方向に移動し、保持金具７６ｂに嵌入された左側の切り換えピン７３ｂの先端は、左側のラック３０ｂのＵ字溝３２ｂから外れ、右側のラック３０ａによる表示パネル５０の右側に開閉が可能な状態になる。
【００３０】
次に、本発明の表示パネル装置により表示パネルが開放される時の動作を図８乃至図１２を用いて説明する。尚、以下に説明する表示パネルの開閉動作は、表示パネルを右側に開放する場合を例に説明する。
【００３１】
操作者は、表示パネル５０を左側に開放するか、右側に開放するかを選択するため、表示パネル５０の中央下方端に配置されている切り換えノブ７２を操作し、例えば、右側に切り換える。
表示パネル装置を構成するスライドスイッチ機構７０は、上記図７（ｂ）に示した状態、即ち、左側の切り換えピン７３ｂは、左側のラック３０ｂのＵ字溝３２ｂから外れ、右側の切り換えピン７３ａは、フレーム４０のガイド溝４３ａまで挿入された状態になる。
【００３２】
次いで、操作者は、表示パネル５０の開閉ボタン５３を押下する。
表示パネル装置の図示しないＣＰＵは、表示パネル５０の開閉ボタン５３が押下されると、切り換えノブ７２がどの位置にあるかを検出し、切り換えノブ７２が切り換えられている状態に応じて左右どちらかの駆動装置２０を駆動する。
例えば、切り換えノブ７２が右側に切り換えらたことを検出すると、右側の駆動装置２０ａのモータ２１が回転し、右側のラック３０ａは、図８（ａ）の図中矢印Ｇの方向に移動する。
【００３３】
上述したように、右側のラック３０ａのＵ字溝３２ａには、スライドスイッチ機構７０を構成する右側の切り換えピン７３ａがフレーム４０のガイド溝４３ａまで挿入された状態にあるので、ラック３０ａが図矢印Ｇの方向に移動すると、切り換えピン７３ａの先端は、フレーム４０のガイド溝４３ａに沿ってフレーム４０の前面方向に移動する。ラック３０ａのＵ字溝３２ａは、表示パネル５０の面に対して斜めに形成されているので、切り換えピン７３ａの先端がラック３０ａのＵ字溝３２ａの底部３３ａに向かって移動する。
【００３４】
また、パネルステイ６０には、スライドスイッチ機構７０が搭載された面と反対側の面に２つのローラ６２ａ、６２ｂが回転自在に軸着され、フレーム４０の凹状溝４１に装着されている。
凹状溝４１の両側端部は、ローラ６２ａ、６０ｂを着脱可能にするためにフレーム４０の両側前面端部に開口部４２ａ、４２ｂが形成されているので、パネルステイ６０がラック３０ａの移動によって図矢印Ｇの方向の力を受けると、パネルステイ６０の右側のローラ６２ａがフレーム４０の開口部４２ａから外れると共に、パネルステイ６０の左側のローラ６２ｂはフレーム４０の凹状溝４１をＪ方向に摺動する。
【００３５】
以上のことから、表示パネル５０は、ラック３０ａによって、図中印Ｈ方向の回転力を受ける。図８（ｂ）は、右側の切り換えピン７３ａがフレーム４０のガイド溝４３ａから外れた状態を示している。また、切り換えピン７３ａは、ラック３０ａのＵ字溝３２ａの底部３３ａ側に移動している状態を示した。
【００３６】
図９は、表示パネル装置によって、表示パネル５０が、更に開放された状態を示している。
上述したように、表示パネル５０の天部は、スライドスイッチ機構７０を搭載しないパネルステイ６０によってフレーム４０に装着されているので、図９に示すように開放の途中においても、がたつきもなく安定に開放される。
【００３７】
また、図１０は、表示パネル５０が最大に開放された状態を示す。
ＣＰＵは、駆動装置２０ａのギア２４がラック３０ａの終端縁部に来たことを検出すると、駆動装置２０ａのモータ２１を停止させる。表示パネル装置によって、表示パネル５０が完全に開放されると、表示パネル装置の内部に設けられている記録媒体駆動装置１１の挿入口１２が露出され、ＣＤやＭＤ等の記録媒体１３を挿入することが可能となる。
【００３８】
操作者は、表示パネル５０を開放した状態で、表示パネル５０の操作ボタン５２を操作し、ＣＤやＭＤ等の記録媒体１３を再生することができる。表示パネル５０は、操作者と対向する方向に開放されているので、視野角が狭い液晶等の表示装置５１を用いていたとしても、表示内容が鮮明に視認され、チューナの選曲等が容易に行うことができる。また、一旦、表示パネル５０を閉じた状態に戻した後、上記操作を行っても良い。
【００３９】
表示パネル装置は、操作者により表示パネル５０の開閉ボタン５３が再度押下されると、ＣＰＵの制御信号により駆動装置２０ａのモータ２１を開放時と反対に回転させる。表示パネル５０は、図８（ｂ）に示した位置まで戻されると、表示パネル５０を構成するスライドスイッチ機構７０の切り換えピン７３ａの先端がフレーム４０のガイド溝４３ａに沿って進入すると共に、パネルステイ６０の右側のローラ６２ａがフレーム４０の開口部４２ａから進入し、表示パネル５０が元の状態に戻される。ＣＰＵは、駆動装置２０ａのギア２４がラック３０ａのＵ字溝３２ａの近傍に来たことを検出すると、駆動装置２０ａのモータ２１を停止させる。
【００４０】
本発明の実施形態による表示パネル装置は、切り換えノブ７２を切り換えることで、図１１に示すように表示パネル５０を左右に開放することができる。
例えば、表示パネル装置がドライバーの左側で、助手席の右側、即ちドライバーと助手席の中央のダッシュボードに固着されていた場合、助手席の人が表示パネル５０を操作する時は、図１１の（ｂ）及び（ｃ）の方向に表示パネル５０を開放すれば、表示パネル５０面が助手席側に対向するので、助手席に居る人にとって表示パネル５０上の表示装置５１の表示が視認し易く、また、ボタン等の操作がし易い。また、運転者が表示パネル５０を操作する場合は、図１１の（ｄ）及び（ｅ）の方向に表示パネル５０を開放すれば、上記同様、表示装置５１の表示が視認し易く、また、ボタン等の操作がし易い。
【００４１】
本発明の他の実施形態による表示パネル装置を図１２に示した。
図１２に示すように、他の実施形態による表示パネル装置は、表示パネル５０１が第１のパネルステイ６０１により支持され、第１のパネルステイ６０１が第２のパネルステイ６０２によって支持される構造を有している。
第１のパネルステイ６０１には、表示パネル５０１の天部両側に回転自在に形成されたローラを摺動する図示せぬ摺動溝が形成され、この摺動溝に表示パネル５０１のローラが摺動自在に装着されている。
また、第１のパネルステイ６０１の天部及び底部には、上述したパネルステイ６０と同様のローラ６２ａ、６２ｂが形成され、フレーム４０に形成された凹状溝４１に脱着可能に装着されている。
【００４２】
従って、他の実施形態による表示パネル装置は、操作者によって表示パネル５０１の開閉ボタン５３が押下されると、図１２（ｂ）に示すようにラック３０ａと第２のパネルステイ６０２により、例えば右側に開放される。その後、例えば手動で表示パネル５０１の底部を手前に引き出すことにより、図１２（ｃ）に示すように表示パネル５０１のローラ６２が第１のパネルステイ６０１のガイド溝４３を摺動し、表示パネル５０１を傾斜させることが可能となる。
【００４３】
尚、本発明の実施形態による表示パネル装置において、表示パネル５０を開放する方向に切り換えるため、スライドスイッチ機構７０を構成する切り換えノブ７２を手動で行うように説明したが、例えば、マグネット等によって切り換えピン７３を電気的に上下するようにしても良い。この場合、表示パネル５０の操作ボタンを、例えば「右開」ボタンを押下すると、スライドスイッチ機構７０の「ロック」が自動的に解除され、その後、表示パネル５０を自動的に右側に開放するように構成することができる。
【００４４】
【発明の効果】
上述したように、本発明実施形態における表示パネル装置は、装置本体の前面を覆う被覆位置から表示部を有する表示パネルを選択的に左方向あるいは右方向の開放位置に移動して、複数の異なる開放位置に位置付けることができるので、例えば、搭乗者の着座位置に適した表示パネルにおける表示部の視認性が向上され、また、その表示部を視認しながらの操作ボタン等の操作性が向上される。
【図面の簡単な説明】
【図１】本発明の実施形態による表示パネル装置を装備したカーステレオ装置の内部構造図である。
【図２】本発明の実施形態による表示パネル装置の表示パネルの正面図。
【図３】本発明の実施形態による表示パネル装置に用いられる駆動装置及びラックの構造図。
【図４】本発明の実施形態による表示パネル装置に用いられるフレームの構造図。
【図５】本発明の実施形態による表示パネル装置に用いられるスライドスイッチ機構とパネルステイの構造図。
【図６】表示パネル装置を構成するラック、フレーム、パネルスティ及びスライドスイッチ機構の組み合わせ図。
【図７】スライドスイッチ機構の動作説明図。
【図８】スライドスイッチ機構の動作説明図。
【図９】表示パネルが開放される時の動作説明図。
【図１０】表示パネルが完全に開放された時の動作説明図。
【図１１】表示パネルが左右に開放される様子を示したカーステレオ装置の斜視図。
【図１２】他の実施形態による表示パネル装置を用いた時のカーステレオ装置の斜視図。
【図１３】従来例におけるカーステレオ装置の表示パネルの動作説明図。
【符号の説明】
１０・・筐体
１１・・挿入口
２０ａ、２０ｂ・・駆動装置
３０ａ、３０ｂ・・ラック
４０・・フレーム
５０・・表示パネル
６０・・パネルステイ
７０・・スライドスイッチ機構
７１・・スライド板
７２・・切り換えノブ
【図１】
0003748721.tif 000002
【図２】
0003748721.tif 000003
【図３】
0003748721.tif 000004
【図４】
0003748721.tif 000005
【図５】
0003748721.tif 000006
【図６】
0003748721.tif 000007
【図７】
0003748721.tif 000008
【図８】
0003748721.tif 000009
【図９】
0003748721.tif 000010
【図１０】
0003748721.tif 000011
【図１１】
0003748721.tif 000012
【図１２】
0003748721.tif 000013
【図１３】
0003748721.tif 000014